(57)【要約】      （修正有）【課題】車椅子利用者が犬の散歩をする際、リードと車椅子が絡まることを防ぐ、犬の散歩用車椅子アタッチメントを提供する。【解決手段】車椅子１のひじ掛け１１に取り付けを行うことによって、ひじ掛け１１を垂直に伸長し、その先端を直角に立上げ伸長し、さらに直角に折り曲げた先端にリード２９を括り付ける金具を取り付けた棒状部品を備えるアタッチメントを利用することによって、車椅子１とリード取り付け部分、地面とリード取り付け部分共に離れるため、リード２９と車椅子１が絡まることがなくなる。【選択図】図１
0003217311.tif 000002
【実用新案登録請求の範囲】
【請求項１】
車椅子のひじ掛け部分もしくは車椅子背もたれ後方部分、又は両方に、取り付けを行うことによって、ひじ掛け部分を垂直に伸長し、その先端を直角に立上げ伸長し、さらに直角に折り曲げた先端にリードを括り付ける金具を取り付けた棒状部品
を備えることを特徴とする犬の散歩用車椅子アタッチメント。
【請求項２】
車椅子のひじ掛け部分もしくは車椅子背もたれ後方部分、又は両方に、取り付けを行うことによって、ひじ掛け部分を車椅子の操縦に支障が出ない程度に垂直に伸長した先端にリードを括り付ける金具を取り付けた棒状部品
を備えることを特徴とする犬の散歩用車椅子アタッチメント。
【請求項３】
請求項１又は請求項２に記載のアタッチメントであって、
車椅子のひじ掛けにリード巻取り部を括り付け、リードの紐を通す事ができるように、アタッチメントの曲がり部分に滑車が取り付けられた棒状部品
を備えることを特徴とする犬の散歩用車椅子アタッチメント。
【考案の詳細な説明】
【技術分野】
【０００１】
本考案は、車椅子を利用しながら犬の散歩をする際に、犬のリードを車椅子に取り付けるアタッチメントに関するものである。
【背景技術】
【０００２】
各地域の条例では、犬の散歩をする際、犬に首輪等を付けリードに繋ぐ義務が定められている。
しかし、車椅子を利用している者は、車椅子をコントロールする必要があるため、手の自由が利かず、犬の散歩をする場合にリードを持つ事ができない場合が多い。
【０００３】
そこで、リードを車椅子の一部に固定をする必要があるが、車椅子の適当な部分に括り付けると、リードが車椅子や人に絡まりやすく、リードの長さもコントロールできないため、犬をコントロールする事ができないなどの問題があった。
【０００４】
この改善策として、車椅子のひじ掛けや、足元に括り付ける等の工夫を行っている車椅子利用者も多いが、車椅子自体に絡まってしまう問題点は改善できなかった。
【考案の概要】
【考案が解決しようとする課題】
【０００５】
解決しようとする問題点は、車椅子利用者が犬の散歩をする際、リードと車椅子が絡まってしまう点と、リードの長さをコントロールできないといった点である。
【課題を解決するための手段】
【０００６】
上記課題を解決するために、請求項１の考案は、車椅子のひじ掛け部分もしくは車椅子背もたれ後方部分、又は両方に、取り付けを行うことによって、ひじ掛け部分を垂直に伸長し、その先端を直角に立上げ伸長し、さらに直角に折り曲げた先端にリードを括り付ける金具を取り付けた棒状部品を備えることを特徴としている。
【０００７】
本考案によれば、車椅子とリード取り付け部分、地面とリード取り付け部分共に離れるため、リードと車椅子が絡まることがなくなる。
【０００８】
請求項２の考案は、車椅子のひじ掛け部分もしくは車椅子背もたれ後方部分、又は両方に、取り付けを行うことによって、ひじ掛け部分を車椅子の操縦に支障が出ない程度に垂直に伸長した先端にリードを括り付ける金具を取り付けた棒状部品を備えることを特徴としている。
【０００９】
本考案によれば、請求項１同様車椅子とリード取り付け部分、地面とリード取り付け部分共に離れるため、リードと車椅子が絡まることがなくなる。
【００１０】
請求項３の考案は、請求項１又は請求項２に記載のアタッチメントであって、車椅子のひじ掛けにリード巻取り部を括り付け、リードの紐を通す事ができるように、アタッチメントの曲がり部分に滑車が取り付けられた棒状部品を備えることを特徴としている。
【００１１】
本考案によれば、手の届くひじ掛けにリード巻取り部を括り付けてあるため、リードの長さをコントロールする事ができるようになる。
【考案の効果】
【００１２】
本考案の車椅子アタッチメントを利用することにより、リードと車椅子が絡まることがなくなり、リードの長さもコントロールすることによって、車いす利用者もスムーズに犬の散歩をすることができる。
【図面の簡単な説明】
【００１３】
【図１】図１は請求項１の車椅子アタッチメント取り付け図である。（実施例１）
【図２】図２(a)はアタッチメントを上部から見た図面であり、図２(b)も同様に上部から見た図であるが、車椅子座面裏へ補強部品アタッチメント２３ｂを取り付けるために２３ｄ部分を取り外した図面である。（実施例１）
【図３】図４はアタッチメントを横から見た図面である。（実施例１）
【図４】図５はアタッチメントを正面から見た図面である。（実施例１）
【図５】図２は車椅子のひじ掛けに、アタッチメントを取り付けるためのプラスチック部分の断面図である。（実施例１）
【図６】図６は請求項１の車椅子アタッチメントであり、1本のみ立上げた場合の取り付け図である。（実施例１）
【図７】図７は請求項２の車椅子アタッチメント取り付け図である。（実施例２）
【図８】図８(a)はアタッチメントを上部から見た図面であり、図８(b)も同様に上部から見た図であるが、車椅子座面裏へ補強部品アタッチメント４３ｂを取り付けるために４３ｄ部分を取り外した図面である。（実施例２）
【図９】図９はアタッチメントを横から見た図面である。（実施例２）
【図１０】図１０はアタッチメントを正面から見た図面である。（実施例２）
【図１１】図１１は滑車を取り付けたアタッチメントを横から見た図面である。（実施例３）
【考案を実施するための形態】
【００１４】
車椅子と犬のリードが絡まないように、車椅子とリードの距離をできるだけ保つようなアタッチメントを作成することによって、車椅子での散歩を実現した。
【実施例１】
【００１５】
図１は、請求項１の考案の実施例の概観図であって、車椅子１へのリード２２の取り付け位置をひじ掛け１１よりも上部に上げることによって、課題解決を実現している。図２から図４はそれぞれアタッチメントを上から、横から、正面からみた図である。本考案のアタッチメントの材質は特に問わない。アタッチメントの大きさによって最適な材質を選択するが、具体的には軽量の強化プラスチック等がふさわしいと考える。
【００１６】
本考案のアタッチメント部分２１を車椅子１のひじ掛け１１に結合する。結合の部分は面ファスナーを利用しても良いし、図５のようにひじ掛け１１の直径よりも数ｍｍ広い直径のプラスチック結合部分を作成し利用しても良い。
【００１７】
ひじ掛け１１に取り付けられた延びた棒状のアタッチメント部分２２は、走行に支障が無い程度の長さで水平前方に伸ばす。車椅子１の形状、車椅子１に座る者の体型にもよるが、具体的には１０ｃｍ〜３０ｃｍ程度の長さと考えられる。
【００１８】
ひじ掛から水平に延びた棒状のアタッチメント部分２２を左右のひじ掛け１１から２本延ばすため、走行時に不安定になりやすい。そこで、アタッチメントを安定させるためにアタッチメント部分２３ａを前方で1箇所、２３ｂを車椅子座椅子後方で1箇所、アタッチメント部分２２の2本と接続し安定を図る。２３ｂ部分に関しては、図３（ｂ）のように、ジョイント部分２３ｃ、もしくは２３ｄで結合部分を取り外し可能な構造とすることによって、アタッチメント２３ｂ部分を車椅子背もたれ後方に取り付けることを可能にしている。
【００１９】
ひじ掛から水平に延びた棒状のアタッチメント部分２２は先端で垂直に立ち上げる（アタッチメント部分２４）。この垂直部分は１頭の散歩であれば、図６の概観図のように1本のみ立ち上げても良い。
【００２０】
垂直に立ち上げたアタッチメント部分２４は、走行が不安定にならない程度の長さで立ち上げる。車椅子１の形状、車椅子１に座る者の体型にもよるが、具体的には３０ｃｍ〜８０ｃｍ程度の長さと考えられる。
【００２１】
垂直に立ち上げたアタッチメント部分２４は先端で直角に折り曲げる（アタッチメント部分２５）。
【００２２】
直角に折り曲がったアタッチメント部分２５は、リード２９を取り付けることができ、走行の妨げにならない程度の長さで前方に伸ばす。車椅子１の形状、リード２９の形にもよるが、具体的には５ｃｍ〜２０ｃｍ程度の長さと考えられる。
【００２３】
アタッチメント部分２５の先端に、リード２９を取り付けるためのフックや登山道具のカラビナ（以下フック等）２７を取り付ける。フック等２７を取り付けやすくするために、アタッチメント部分２５を直角に曲げたアタッチメント部分２６を取り付けても良い。
【００２４】
フック等２７に市販のリード２９の取っ手部分２８を取り付け、リード２９は散歩をする犬３の首輪等に繋ぐ。これによって車椅子利用者が負担無く、犬３の散歩を行う事ができる。
【実施例２】
【００２５】
図７は、請求項２の考案の実施例の概観図であって、車椅子１へのリード４９の取り付け位置をひじ掛け１１を前方に伸長し、課題解決を実現している。実施例１同様、図８から図１０はそれぞれアタッチメントを上から、横から、正面からみた図である。本考案のアタッチメントの材質は特に問わない。アタッチメントの大きさによって最適な材質を選択するが、具体的には軽量の強化プラスチック等がふさわしいと考える。
【００２６】
実施例１同様、本考案のアタッチメント部分４１を車椅子１のひじ掛け１１に結合する。結合の部分は面ファスナーを利用しても良いし、図２のようにひじ掛け４１の直径よりも数ｍｍ広い直径のプラスチック結合部分を作成し利用しても良い。
【００２７】
ひじ掛け１１に取り付けられた延びた棒状のアタッチメント部分４２は、走行に支障が無い程度の長さで水平前方に伸ばす。車椅子１の形状、車椅子１に座る者の体型にもよるが、具体的には１０ｃｍ〜５０ｃｍ程度の長さと考えられる。
【００２８】
ひじ掛から水平に延びた棒状のアタッチメント部分４２を左右のひじ掛け１１から２本延ばすため、走行時に不安定になりやすい。そこで、アタッチメントを安定させるためにアタッチメント部分４３ａを前方で1箇所、４３ｂを車椅子座椅子後方で1箇所、アタッチメント部分４２の２本と接続し安定を図る。４３ｂ部分に関しては、図７（ｂ）のように、ジョイント部分４３ｃ、もしくは４３ｄで結合部分を取り外し可能な構造とすることによって、アタッチメント４３ｂ部分を車椅子背もたれ後方に取り付けることを可能にしている。
【００２９】
アタッチメント部分４２の先端に、リード４９と取り付けるためのフック等４７を取り付ける。フック等４７を取り付けやすくするために、アタッチメント部分４２を直角に曲げたアタッチメント部分４６を取り付けても良い。
【００３０】
フック等４６に市販のリード４９の取っ手部分４８を取り付け、リード４９は散歩をする犬３の首輪等に繋ぐ。これによって車椅子利用者が負担無く、犬３の散歩を行う事ができる。
【実施例３】
【００３１】
図１１は、請求項１に請求項３の考案の実施例を加えたアタッチメントを横からみた図である。
【００３２】
図１１のように本考案のアタッチメント部分２２と２４の曲がり部分の手前に滑車２４ｐｌを、アタッチメント部分２４、２５及び２６の曲がり部分に滑車２５ｐｌを取り付ける。
【００３３】
アタッチメント部分２２にリード紐巻き取り部３２を括り付け、リード２９の紐３３を滑車２４ｐｌと２５ｐｌの中にそれぞれ通す。
【００３４】
アタッチメント部分２６に穴をあけ、その穴にリード２９の紐部分３３を通し、犬３を繋ぐリード２９のフック等３１をアタッチメント部分２６の先端から出す。
【００３５】
以上のような構造により、車椅子利用者が手元でリード紐巻き取り部３２を操作でき、リード２９の紐３３の長さの調節が可能となる。
【産業上の利用可能性】
【００３６】
今後迎える高齢化社会により、車椅子を利用する者、ペットに癒しを求める者が増加する事が見込まれるため、車椅子利用者が犬の散歩をする際に必要な本考案の需要が大いに見込まれる。
【符号の説明】
【００３７】
１    車椅子
２    本考案のアタッチメント
３    ペット(犬)
１１  車椅子のひじ掛け
２１  本考案のアタッチメントとひじ掛け接続部分
２２  本考案のアタッチメントの水平伸長部分
２３ａ  本考案のアタッチメントの前方安定化接続部分
２３ｂ  本考案のアタッチメントの車椅子背もたれ後方安定化接続部分
２３ｃ  本考案のアタッチメントの車椅子背もたれ後方安定化取り外しジョイント部分
２３ｄ  本考案のアタッチメントの車椅子背もたれ後方安定化取り外しジョイント部分
２４  本考案のアタッチメントの垂直伸長部分
２５  本考案のアタッチメントの上部水平部分
２６  本考案のアタッチメントのフック等接続部分
２７  本考案のアタッチメントに取り付けるフックや登山道具のカラビナなど
２８  ペット散歩用リード取っ手部分
２９  ペット散歩用リード
３１  ペット散歩用リードとペットを繋ぐフックや登山道具のカラビナなど
３２  手で操作をするペット散歩用リード紐巻取り部
３３  ペット散歩用リード紐部
４１  本考案のアタッチメントとひじ掛け接続部分
４２  本考案のアタッチメントの水平伸長部分
４３ａ  本考案のアタッチメントの前方安定化接続部分
４３ｂ  本考案のアタッチメントの車椅子背もたれ後方安定化接続部分
４３ｃ  本考案のアタッチメントの車椅子背もたれ後方安定化取り外しジョイント部分
４３ｄ  本考案のアタッチメントの車椅子背もたれ後方安定化取り外しジョイント部分
４６  本考案のアタッチメントのフック等接続部分
４７  本考案のアタッチメントに取り付けるフックや登山道具のカラビナなど
４８  ペット散歩用リード取っ手部分
４９  ペット散歩用リード
【図１】
0003217311.tif 000003
【図２】
0003217311.tif 000004
【図３】
0003217311.tif 000005
【図４】
0003217311.tif 000006
【図５】
0003217311.tif 000007
【図６】
0003217311.tif 000008
【図７】
0003217311.tif 000009
【図８】
0003217311.tif 000010
【図９】
0003217311.tif 000011
【図１０】
0003217311.tif 000012
【図１１】
0003217311.tif 000013
【手続補正書】
【提出日】平成30年5月7日(2018.5.7)
【手続補正１】
【補正対象書類名】図面
【補正対象項目名】図７
【補正方法】変更
【補正の内容】
【図７】
0003217311.tif 000014